(57)【要約】      （修正有）【課題】吸引力が強く、水循環の利用を保証でき、省エネルギー、大気に対する汚染が減少する溶接ヒューム回収処理システムを提供する。【解決手段】複数の吸入パイプ１を備えており、吸入パイプ１の入口側に吸入口２が設けられる吸入口機構と、粉塵収集パイプ４と、粉塵収集箱５と、パイプラインａ（６）と、を備えており、粉塵収集パイプ４の出口側に粉塵隔離箱７が設けられており、粉塵隔離箱７がパイプラインａ（６）を介して粉塵収集箱５と接続され、粉塵隔離箱７の内部に塵フィルタースクリーンが縦に設けられる粉塵収集機構と、水霧浄化箱９と、沈殿タンクのグループと、溢水タンク２５と、を備えており、水霧浄化箱９の入口側と粉塵隔離箱７とが接続され、沈殿タンクのグループが二つの沈殿タンク１０からなり、水霧浄化箱９の出口側に上から下へ順番にパイプラインｂ（１１）、パイプラインｃ（１２）が設けられる水霧浄化機構と、を備える。【選択図】図１
0003217323.tif 000002
【実用新案登録請求の範囲】
【請求項１】
溶接ヒューム回収処理システムであって、
複数の吸入パイプを備えており、前記吸入パイプの入口側に吸入口が設けられ、前記吸入パイプの前記吸入口に近づく位置にバルブがそれぞれ設けられる吸入口機構と、
粉塵収集パイプと、粉塵収集箱と、パイプラインａと、を備えており、前記粉塵収集パイプの入口側と複数の吸入パイプの出口側とが接続され、前記粉塵収集パイプの出口側に粉塵隔離箱が設けられており、前記粉塵隔離箱がパイプラインａを介して前記粉塵収集箱に接続され、前記粉塵収集箱が前記粉塵隔離箱の下に位置し、前記粉塵収集パイプに送風機が設けられるとともに、前記粉塵隔離箱の内部に塵フィルタースクリーンが縦に設けられる粉塵収集機構と、
水霧浄化箱と、沈殿タンクのグループと、溢水タンクとを備えており、前記水霧浄化箱の入口側と前記粉塵隔離箱とが接続され、前記沈殿タンクのグループが二つの沈殿タンクからなり、前記水霧浄化箱の出口側に上から下へ順番にパイプラインｂ、パイプラインｃが設けられ、前記パイプラインｂの出口側が大気に位置し、前記パイプラインｃの出口側がそれぞれパイプラインｄ、パイプラインｅに接続され、前記パイプラインｄ、前記パイプラインｅの出口側がそれぞれ沈殿タンクの中に位置し、前記沈殿タンクと前記溢水タンクとがパイプラインｆによって接続されるとともに、前記沈殿タンクと前記溢水タンクとが前記水霧浄化箱の下に位置し、前記溢水タンクと前記水霧浄化箱とがパイプラインｇを介して接続され、前記パイプラインｇに浄水器及び送水ポンプが設けられ、前記送水ポンプが前記水霧浄化箱に近く設けられる水霧浄化機構と、
を備えることを特徴とする溶接ヒューム回収処理システム。
【考案の詳細な説明】
【技術分野】
【０００１】
本考案は、溶接ヒューム回収分野に関し、特に、溶接ヒューム回収処理システムに関する。
【背景技術】
【０００２】
工場の作業場において、溶接作業によって発生されるヒュームの排出と処理はずっと難題になっている。通常の解決手段として、作業の上部に大型の送風機を増設して、ヒュームがガス対流によって大気に排出される。しかしながら、溶接作業が均衡でなく、作業場の空間が広いので、大型の送風機のヒュームに対する排出効果が悪い。よって、上記した処理方法はあまり有効でなく、かつ、溶接ヒュームが処理されないまま大気に排出され、環境がある程度汚染されている。
【考案の概要】
【考案が解決しようとする課題】
【０００３】
本考案は、前記先行技術における欠点を解消し、吸引力が強く、水循環の利用を保証でき、省エネルギー、大気に対する汚染が減少する溶接ヒューム回収処理システムを提供することを目的とする。
【課題を解決するための手段】
【０００４】
本考案は、その課題を解決するために以下のものを採用する。
【０００５】
本考案は、溶接ヒューム回収処理システムであって、
複数の吸入パイプを備えており、吸入パイプの入口側に吸入口が設けられて、吸入パイプの吸入口に近づく位置にそれぞれバルブが設けられる吸入口機構と、
粉塵収集パイプと、粉塵収集箱と、パイプラインａと、を備えており、粉塵収集パイプの入口側と複数の吸入パイプの出口側とが接続され、粉塵収集パイプの出口側に粉塵隔離箱が設けられており、粉塵隔離箱がパイプラインａを介して粉塵収集箱と接続され、粉塵収集箱が粉塵隔離箱の下に位置し、粉塵収集パイプに送風機が設けられるとともに、粉塵隔離箱の内部に塵フィルタースクリーンが縦に設けられる粉塵収集機構と、
水霧浄化箱と、沈殿タンクのグループと、溢水タンクと、を備えており、水霧浄化箱の入口側と粉塵隔離箱とが接続され、沈殿タンクのグループが二つの沈殿タンクからなり、水霧浄化箱の出口側に上から下へ順番にパイプラインｂ、パイプラインｃが設けられ、パイプラインｂの出口側が大気に位置し、パイプラインｃの出口側がそれぞれパイプラインｄ、パイプラインｅに接続され、パイプラインｄ、パイプラインｅの出口側がそれぞれ沈殿タンクの中に位置し、沈殿タンクと溢水タンクとがパイプラインｆによって接続されるとともに、沈殿タンクと溢水タンクとが水霧浄化箱の下に位置し、溢水タンクと水霧浄化箱とがパイプラインｇを介して接続され、パイプラインｇに浄水器及び送水ポンプが設けられ、送水ポンプが水霧浄化箱に近く設けられる水霧浄化機構と、を備える。
【０００６】
本考案の更なる改良は、吸入口はラッパ型の構造である。
【０００７】
本考案の更なる改良は、水霧浄化箱の上端面に複数の水霧噴射部が設けられ、水霧噴射部は下へ噴射するように設置される。
【０００８】
本考案の更なる改良は、パイプラインａの粉塵収集箱に近づく位置に塵排出バルブが設けられ、粉塵収集箱の下端に塵排出口が設けられ、粉塵収集箱の上端に第１の空気パイプヘッドが設けられる。
【０００９】
本考案の更なる改良は、パイプラインｇにバイパスを通じて貯水槽が設けられ、貯水槽は溢水タンクと浄水器との間に位置し、貯水槽の上に第２の空気パイプヘッドが設けられる。
【考案の効果】
【００１０】
以下、本考案は従来技術に対して以下の有利な効果を説明する。
【００１１】
１．本考案において、吸入口機構と、粉塵収集機構と、水霧浄化機構と、を備えており、溶接ヒュームはパイプラインａを介して粉塵隔離箱に入り、塵フィルタースクリーンのろ過によってヒュームが遮断され、ヒュームにおける重金属及び機械的不純物は引力の作用によって粉塵収集箱に収集され、ざっとろ過の役目を果たすことができる。それから、溶接ヒュームは水霧浄化機構の水霧浄化タンクを通って、水霧浄化タンクの水霧噴射部によって吹き付けられ、水霧の吸着作用によって、ヒュームにおける細塵は水霧と一緒に水霧浄化タンクの底部に落ち、細塵をろ過する役目を果たすことができ、ろ過されたきれいなガスはパイプラインｂに排出され、大気に対する汚染が減少することができる。水霧浄化タンクの底部に落ちる細塵はパイプラインｃを介して沈殿タンクに入って沈殿タンクの下部に位置し、一方、水が沈殿タンクの上部に位置して、パイプラインｆを介して溢水タンクに入ってから、パイプラインｇを介して水霧浄化タンクに戻ることで、水循環の利用を保証して、省エネルギーの役目を果たすことができ、パイプラインｇに浄水器が設けられ、水をろ過する役目を果たすことができる。
【００１２】
２．本考案において、沈殿タンクと溢水タンクとが水霧浄化箱の下に位置し、水霧浄化箱、沈殿タンク、溢水タンクの液面差により、水霧浄化箱における液体は引力の作用で沈殿タンク及び溢水タンクへ流れ、これにより、パイプラインに負圧を発生させるので、水霧浄化箱における液体はどんどん沈殿タンク及び溢水タンクへ流れる。吸入口はラッパ型の構造であり、ラッパ型の設計は、面積を増加して、吸入力を強めて、エネルギー消費も下げる役目を果たすことができる。
【００１３】
３．塵排出バルブは、パイプラインａを開閉する役目を果たすことができ、塵排出口は、煙灰を粉塵収集箱に排出しやすくする役目を果たすことができ、第１の空気パイプヘッド及び第２の空気パイプヘッドは、空気が流通しやすくする役目を果たすことができる。
【図面の簡単な説明】
【００１４】
【図１】本考案に係る溶接ヒューム回収処理システムの構成概略図。
【００１５】
１：吸入パイプ、２：吸入口、３：バルブ、４：粉塵収集パイプ、５：粉塵収集箱、６：パイプラインａ、７：粉塵隔離箱、８：塵フィルタースクリーン、９：水霧浄化箱、１０：沈殿タンク、１１：パイプラインｂ、１２：パイプラインｃ、１３：パイプラインｄ、１４：パイプラインｅ、１５：パイプラインｆ、１６：パイプラインｇ、１７：浄水器、１８：送水ポンプ、１９：水霧噴射部、２０：塵排出バルブ、２１：塵排出口、２２：第１の空気パイプヘッド、２３：バイパス、２４：貯水槽、２５：溢水タンク、２６：第２の空気パイプヘッド、２７：送風機。
【考案を実施するための形態】
【００１６】
本考案に対する理解を深めるために、図面及び実施例に基づいて、本考案をさらに説明する。また、当該実施例は本考案を解釈するものだけであり、本考案の保護範囲の限定にならない。
【００１７】
図１に示されるように、本実施例に係る溶接ヒューム回収処理システムは、複数の吸入パイプ１を備えており、吸入パイプ１の入口側に吸入口２が設けられて、吸入パイプ１の吸入口２に近づく位置にそれぞれバルブ３が設けられる吸入口機構と、粉塵収集パイプ４と、粉塵収集箱５と、パイプラインａ６と、を備えており、粉塵収集パイプ４の入口側と複数の吸入パイプ１の出口側とが接続され、粉塵収集パイプ４の出口側に粉塵隔離箱７が設けられており、粉塵隔離箱７がパイプラインａ６を介して粉塵収集箱５と接続され、粉塵収集箱５が粉塵隔離箱７の下に位置し、粉塵収集パイプ４に送風機が設けられるとともに、粉塵隔離箱７の内部に塵フィルタースクリーンが縦に設けられる粉塵収集機構と、水霧浄化箱９と、沈殿タンクのグループと、溢水タンク２５と、を備えており、水霧浄化箱９の入口側と粉塵隔離箱７とが接続され、沈殿タンクのグループが二つの沈殿タンク１０からなり、水霧浄化箱９の出口側に上から下へ順番にパイプラインｂ１１、パイプラインｃ１２が設けられ、パイプラインｂ１１の出口側が大気に位置し、パイプラインｃ１２の出口側がそれぞれパイプラインｄ１３、パイプラインｅ１４に接続され、パイプラインｄ１３、パイプラインｅ１４の出口側がそれぞれ沈殿タンクの中に位置し、沈殿タンク１０と溢水タンク２５とがパイプラインｆ１５によって接続されるとともに、沈殿タンク１０と溢水タンク２５とが水霧浄化箱９の下に位置し、溢水タンク２５と水霧浄化箱９とがパイプラインｇ１６を介して接続され、パイプラインｇ１６に浄水器１７及び送水ポンプ１８が設けられ、送水ポンプ１８が水霧浄化箱９に近く設けられる水霧浄化機構と、を備える。
【００１８】
水霧浄化箱９の上端面に複数の水霧噴射部１９が設けられ、水霧噴射部１９は下へ噴射するように設置される。
【００１９】
吸入口２はラッパ型の構造であり、ラッパ型の設計は、面積を増加して、吸入力を強めて、エネルギー消費も下げる役目を果たすことができる。沈殿タンク１０と溢水タンク２５とが水霧浄化箱９の下に位置し、水霧浄化箱９、沈殿タンク１０、溢水タンク２５の液面差により、水霧浄化箱９における液体は引力の作用で沈殿タンク１０及び溢水タンク２５へ流れ、これにより、パイプラインに負圧を発生させるので、水霧浄化箱９における液体はどんどん沈殿タンク１０及び溢水タンク２５へ流れる。
【００２０】
パイプラインａ６の粉塵収集箱５に近づく位置に塵排出バルブ２０が設けられ、粉塵収集箱５の下端に塵排出口２１が設けられ、粉塵収集箱５の上端に第１の空気パイプヘッド２２が設けられる。パイプラインｇ１６にバイパス２３を通じて貯水槽２４が設けられ、貯水槽２４は溢水タンク２５と浄水器１７との間に位置し、貯水槽２４の上に第２の空気パイプヘッド２６が設けられる。塵排出バルブ２０は、パイプラインａ６を開閉する役目を果たすことができ、塵排出口２１は、煙灰を粉塵収集箱５に排出しやすくする役目を果たすことができ、第１の空気パイプヘッド２２及び第２の空気パイプヘッド２６は、空気が流通しやすくする役目を果たすことができる。
【００２１】
本考案は、吸入口機構と、粉塵収集機構と、水霧浄化機構と、を備えており、溶接ヒュームはパイプラインａ６を介して粉塵隔離箱７に入り、塵フィルタースクリーン８のろ過によってヒュームが遮断され、ヒュームにおける重金属及び機械的不純物は引力の作用によって粉塵収集箱５に収集され、ざっとろ過の役目を果たすことができる。それから、溶接ヒュームは水霧浄化機構の水霧浄化タンク９を通って、水霧浄化タンク９の水霧噴射部１９によって吹き付けられ、水霧の吸着作用によって、ヒュームにおける細塵は水霧と一緒に水霧浄化タンク９の底部に落ち、細塵をろ過する役目を果たすことができ、ろ過されたきれいなガスはパイプラインｂ１１に排出され、大気に対する汚染が減少することができる。水霧浄化タンク９の底部に落ちる細塵はパイプラインｃ１２を介して沈殿タンク１０に入って沈殿タンク１０の下部に位置し、一方、水が沈殿タンク１０の上部に位置して、パイプラインｆ１５を介して溢水タンク２５に入ってから、パイプラインｇ１６を介して水霧浄化タンク９に戻ることで、水循環の利用を保証して、省エネルギーの役目を果たすことができ、パイプラインｇ１６に浄水器１７が設けられ、水をろ過する役目を果たすことができる。
【００２２】
当業者にとっては、本考案は上記した実施例に限定されず、以上に述べた実施例と明細書の記述はただ本考案の原理を説明するもので、本考案の趣旨と範囲を脱逸しない限り、本考案はさらにほかの色々な変化と改良があり、これらの変化と改良は本考案の保護請求している範囲にあると理解すべきである。本考案が保護請求している範囲は、付いている請求の範囲とその均等するものによって定められる。
【図１】
0003217323.tif 000003